(57)【要約】【課題】電源基板の位置に係わらずメインスイッチを分かり易い位置に配置することにより、メインスイッチの視認性、操作性を向上させるとともに装置内部の配線も簡素化できる画像形成装置を提供する。【解決手段】画像形成装置は、サブスイッチと、メインスイッチと、を備え、複数の機能を一つの装置に複合して備える。サブスイッチは、画像形成装置本体の前面上部に設けられた操作部内に配置されており、複数の機能のうちの一部の機能をオンオフする。メインスイッチは、操作部の直下の画像形成装置本体前面に配置されており、複数の機能の全てを同時にオンまたはオフする。【選択図】図２
2014191268.tif 000002
【特許請求の範囲】
【請求項１】
複数の機能が一つの装置に複合された画像形成装置であって、
前記複数の機能の全てを同時にオンまたはオフするメインスイッチと、前記複数の機能のうちの一部の機能をオンまたはオフするサブスイッチと、
を有し、
前記サブスイッチを前記画像形成装置本体の前面上部に設けられた操作部内に配置するとともに、前記メインスイッチを前記操作部の直下の前記画像形成装置本体前面に配置したことを特徴とする画像形成装置。
【請求項２】
記録媒体上に画像を形成する画像形成部が配置される本体ハウジングと、該本体ハウジングの上方に配置され、前記画像形成部で形成される画像情報を読み取る画像読取部と、該画像読取部と前記画像形成部とを連結する連結ハウジングと、該連結ハウジングの側方に形成される胴内排出空間と、を備え、
前記操作部は、前記画像読取部の前面側に突出して設けられるとともに、前記メインスイッチは前記連結ハウジングの前面に配置されることを特徴とする請求項１に記載の画像形成装置。
【請求項３】
前記操作部の先端と前記連結ハウジングの前面とが略面一であることを特徴とする請求項２に記載の画像形成装置。
【請求項４】
前記メインスイッチはプッシュ式スイッチであり、前記画像形成装置本体へ供給される電力の電圧を可変する変圧器に対し二次側の配線を接続または遮断することを特徴とする請求項１乃至請求項３のいずれかに記載の画像形成装置。
【請求項５】
前記プッシュ式スイッチの押圧部を前記画像形成装置本体の外装色と同一色としたことを特徴とする請求項４に記載の画像形成装置。
【発明の詳細な説明】
【技術分野】
【０００１】
本発明は、複写機能、プリンター機能、ファクシミリ機能等の機能のうち、少なくとも二つの機能を有する画像形成装置のスイッチに関するものである。
【背景技術】
【０００２】
従来、複写機、プリンター、ファクシミリ等の複合機である画像形成装置（ＭＦＰ； Multi Function Peripheral）が広く普及している。上記のような複合機においては、コピー機能は必要に応じて通電して使用し、プリンター機能及びファクシミリ機能は外部からのファクシミリの受信に備えて常時通電しておくようになっている。
【０００３】
そのため、ユーザーが頻繁に操作するコピー機能をオンオフするためのスイッチは操作性を考慮して操作パネル等に配置される。一方、プリンター機能やファクシミリ機能をオンオフするメインスイッチは操作頻度が少ないため、画像形成装置本体の側面等に配置される。
【０００４】
例えば特許文献１には、コピー機能、ファクシミリ機能、プリンター機能等の複数の機能のうち少なくとも二つの機能を一つの装置として複合して有する画像形成装置であって、主電源スイッチと、各種機能のうち少なくとも一つをオンまたはオフするためのスイッチとを、ともに装置本体の正面側に配置するとともに主電源スイッチを開閉可能なカバーで覆った構成が開示されている。この構成によれば、主電源スイッチであることをユーザーに認識させるとともに、習慣的あるいは無意識的な行動によって主電源スイッチをオフにしてしまうことがなくなるとされている。
【０００５】
また、特許文献２には、画像形成装置の前面パネルに押し釦式の電源スイッチを配置した構成が開示されている。
【先行技術文献】
【特許文献】
【０００６】
【特許文献１】特開平１１−２２０５５９号公報
【特許文献２】特開２００８−１５９５２０号公報
【発明の概要】
【発明が解決しようとする課題】
【０００７】
一般に、メインスイッチである主電源スイッチは、特許文献１に記載されているような、操作ボタンの両端をシーソーのように交互に押すことで電気回路の接続又は遮断を行うシーソー型スイッチが使用される。このシーソー型スイッチはトランス（変圧器）に対し一次側（外部電源側）の配線を接続または遮断するため、通常は電源基板付近に配置されるが、画像形成装置の仕様により電源基板の配置が一定ではないため、メインスイッチの位置が異なってしまうという問題点があった。また、電源基板は画像形成装置本体の背面側や側面側に配置されることが多いため、メインスイッチも背面側や側面側に配置されることとなり、操作性が低下するという問題点があった。
【０００８】
特許文献１、２に記載の画像形成装置では、装置前面側にメインスイッチが配置されているが、特許文献１、２の構成では、メインスイッチは画像形成装置本体の前面左側に配置されている。そのため、通常、画像形成装置の右上部に設けられる操作部から遠くなるため、メインスイッチの視認性が低下するとともに、操作部とメインスイッチとを接続する配線も長くなるという問題点があった。
【０００９】
本発明は、上記問題点に鑑み、電源基板の位置に係わらずメインスイッチを分かり易い位置に配置することにより、メインスイッチの視認性、操作性を向上させるとともに装置内部の配線も簡素化できる画像形成装置を提供することを目的とする。
【課題を解決するための手段】
【００１０】
上記目的を達成するために本発明の第１の構成は、サブスイッチと、メインスイッチと、を備え、複数の機能が一つの装置に複合された画像形成装置である。サブスイッチは、画像形成装置本体の前面上部に設けられた操作部内に配置されており、複数の機能のうちの一部の機能をオンオフする。メインスイッチは、操作部の直下の画像形成装置本体前面に配置されており、複数の機能の全てを同時にオンまたはオフする。
【発明の効果】
【００１１】
本発明の第１の構成によれば、複数の機能のうち一部の機能のオンまたはオフを行うサブスイッチと、複数の機能の全てを同時にオンまたはオフするメインスイッチの両方が一目で視認でき、各スイッチの機能も理解し易くなるとともに操作性も向上する。また、操作部の直下に配置されたメインスイッチと操作部内のサブスイッチの配線が近くなるため、画像形成装置の配線パターンが簡素化され、配線の長さも短くすることができる。
【図面の簡単な説明】
【００１２】
【図１】本発明の一実施形態に係る画像形成装置１００の内部構造を示す概略断面図
【図２】本発明の画像形成装置１００を正面側から見た外観斜視図
【図３】画像形成装置１００に設けられた操作パネル２２の平面図
【図４】画像形成装置１００の操作パネル２２周辺を図２の左方向から見た側面図
【発明を実施するための形態】
【００１３】
以下、図面を参照しながら本発明の実施形態について説明する。図１は、本発明の画像形成装置１００の概略断面図、図２は、画像形成装置１００を正面側（図１の手前方向）から見た外観斜視図である。なお、ここでは画像形成装置１００として、モノクロ複合機について示している。画像形成装置１００本体内には、帯電、露光、現像及び転写の各工程によりモノクロ画像を形成する画像形成部Ｐが配設されている。
【００１４】
画像形成部Ｐには、感光体ドラム１の回転方向（図１の反時計回り方向）に沿って、帯電部２、露光ユニット３、現像装置４、転写ローラー７、クリーニング装置８、及び除電装置（図示せず）が配設されている。画像形成部Ｐでは、感光体ドラム１を図１において反時計回り方向に回転させながら、感光体ドラム１に対する画像形成プロセスが実行される。
【００１５】
感光体ドラム１は、例えばアルミドラムに感光層が積層されたものであり、帯電部２により、表面を帯電させるようになっている。そして、後述する露光ユニット３からのレーザービームを受けた表面に、帯電を減衰させた静電潜像を形成する。なお、上記の感光層は、特に限定されるものではないが、例えば耐久性に優れるアモルファスシリコン（ａ−Ｓｉ）や、帯電時のオゾンの発生が少なく高解像度の画像が得られる有機感光層（ＯＰＣ）等が好ましい。
【００１６】
帯電部２は、感光体ドラム１の表面を均一に帯電させるものである。例えば帯電部２として、細いワイヤー等を電極として高電圧を印加することにより放電するコロナ放電装置が用いられる。なお、コロナ放電装置に代えて、帯電ローラーに代表される帯電部材を感光体表面に接触させた状態で電圧を印加する接触式の帯電装置を用いても良い。露光ユニット３は、画像読取部２１において読み取られた原稿画像データに基づいて光ビーム（例えばレーザービーム）を感光体ドラム１に照射し、感光体ドラム１の表面に静電潜像を形成する。
【００１７】
現像装置４は、感光体ドラム１の静電潜像にトナーを付着させてトナー像を形成させるものである。この現像装置４へのトナーの供給はトナーコンテナ５から中間ホッパー６を介して行われる。なお、ここでは磁性を有するトナー成分のみから構成される一成分現像剤（以下、単にトナーともいう）が現像装置４に収容されている。
【００１８】
転写ローラー７は、感光体ドラム１表面に形成されたトナー像を乱さずに用紙搬送路１１を搬送されてくる用紙に転写する。クリーニング装置８は、感光体ドラム１の長手方向に線接触するクリーニングローラーやクリーニングブレード等を備えており、トナー像が用紙に転写された後に、感光体ドラム１の表面に残った残留トナーを除去する。
【００１９】
画像読取部２１は、複写時に原稿を照明するスキャナーランプや原稿からの反射光の光路を変更するミラーが搭載された走査光学系、原稿からの反射光を集光して結像する集光レンズ、及び結像された画像光を電気信号に変換するＣＣＤセンサー等（いずれも図示せず）から構成されており、原稿画像を読み取って画像データに変換する。
【００２０】
コピー動作を行う場合、画像読取部２１において原稿の画像データを読み取り画像信号に変換する。一方、画像形成部Ｐにおいて、帯電部２により図中の反時計回り方向に回転する感光体ドラム１が一様に帯電され、画像読取部２１で読み取られた原稿画像データに基づいて露光ユニット３が感光体ドラム１上にレーザービーム（光線）を発することで、その画像データに基づく静電潜像を感光体ドラム１表面に形成する。その後、現像装置４が静電潜像にトナーを付着させてトナー像を形成する。
【００２１】
上記のようにトナー像が形成された画像形成部Ｐに向けて、給紙カセット１０から用紙１８が用紙搬送路１１及びレジストローラー対１３を経由して所定のタイミングで搬送され、画像形成部Ｐにおいて転写ローラー７により感光体ドラム１表面のトナー像が用紙に転写される。そして、トナー像が転写された用紙１８は感光体ドラム１から分離され、定着部９に搬送されて加熱及び加圧されることで用紙１８にトナー像が定着される。
【００２２】
定着部９を通過した用紙１８は、複数方向に分岐した分岐部１６によって搬送方向が振り分けられる。用紙１８の片面のみに画像を形成する場合は、そのまま排出ローラー対１４によって排出トレイ１５に排出される。
【００２３】
一方、用紙１８の両面に画像を形成する場合は、定着部９を通過した用紙１８は一旦排出ローラー対１４方向に搬送され、用紙１８の後端が分岐部１６を通過した後に排出ローラー対１４を逆回転させるとともに分岐部１６の搬送方向を切り換えることで、用紙１８の後端から反転搬送路１７に振り分けられ、画像面を反転させた状態でレジストローラー対１３に再搬送される。そして、感光体ドラム１上に形成された次の画像が転写ローラー７により用紙１８の画像が形成されていない面に転写され、定着部９に搬送されてトナー像が定着された後、排出トレイ１５に排出される。
【００２４】
画像形成装置１００は、いわゆる胴内排出型であって、図２に示すように、画像形成装置１００本体は、下ハウジング１００ａと、その上方で右側部に沿って位置し、画像読取部２１に連結される連結ハウジング１００ｂとから構成され、下ハウジング１００ａには、用紙１８を収納して給紙する給紙カセット１０や、用紙１８上にトナー像を形成する画像形成部Ｐや、用紙上のトナー像を定着するための定着部９等（いずれも図１参照）が設けられ、他方、連結ハウジング１００ｂには、定着後の用紙１８を搬送して排出するための排出ローラー対１４を含む用紙排出装置が設けられている。
【００２５】
画像読取部２１の直下における連結ハウジング１００ｂの左側方には、左側面及び正面に向けて大きく開放された胴内排出空間２５が形成されており、この胴内排出空間２５の下方には、連結ハウジング１００ｂの右側面から水平方向に排出される用紙１８を受け取って積載するための排出トレイ１５が設けられている。連結ハウジング１００ｂの側面には胴内排出空間２５に連通するように用紙排出口（図示せず）が設けられており、排出トレイ１５上に用紙を排出する。
【００２６】
画像読取部２１の上面には、透明なガラス板からなる原稿載置台（図示せず）や、正面側に表出した操作パネル２２が配設されている。また、画像読取部２１の上面には、原稿載置台に載置された原稿を押さえるプラテン（原稿押さえ）２３が開閉自在に支持されている。
【００２７】
また、ハウジング１００ａの前面側にはフロントカバー２４が開閉可能に設けられている。このフロントカバー２４を開放することで、ハウジング１００ａ内の各部材のメンテナンスや交換が行われる。
【００２８】
図３は、操作パネル２２の平面図である。操作パネル２２には、コピー機能のオンまたはオフを行う操作部電源スイッチ３１、プリンター機能、スキャン機能、ファクシミリ機能等の各種の機能を選択して設定する機能設定キー３２、印字部数の設定や、ファクシミリモードが設定された場合に相手方のＦＡＸ番号を入力等するためのテンキー３３が配置されている。
【００２９】
その他、操作パネル２２には、画像形成装置１００の設定モードや、画像形成状況、印字部数等を表示する液晶表示部、両面印字や白黒反転等の機能や倍率設定、濃度設定など各種設定を行うファンクションキー、画像形成を開始するようにユーザーが指示するスタートボタン、画像形成を中止する際や画像形成装置１００の各種設定をデフォルト状態にする際に使用するストップ／リセットボタン等が設けられている。
【００３０】
本実施形態の画像形成装置１００では、操作パネル２２の直下に位置する連結ハウジング１００ｂの前面に、コピー機能、プリンター機能、ファクシミリ機能の全てを同時にオンまたはオフするためのメインスイッチ（主電源スイッチ）３０が配置されている。
【００３１】
メインスイッチ３０は、トランス（変圧器）に対し二次側（装置本体側）の配線を接続または遮断する。これにより、メインスイッチ３０を電源基板の近傍に配置する必要がなくなり、メインスイッチ３０の配置位置の制約が少なくなる。なお、メインスイッチ３０をオフとしても、トランス（変圧器）に対し一次側（外部電源側）の配線は接続されているため、電源基板等には若干の待機電力が供給された状態となっている。
【００３２】
本実施形態では、操作パネル２２内の操作部電源スイッチ３１の配線が近い、操作パネル２２の直下にメインスイッチ３０を配置することで、画像形成装置１００の配線パターンが簡素化され、配線の長さも短くすることができる。また、メインスイッチ３０はスイッチの開閉負荷が小さい二次側の配線を接続または遮断するため、メインスイッチ３０として大型のシーソー型スイッチを用いる必要がなく、小型のプッシュ式スイッチを使用することができる。
【００３３】
また、操作パネル２２内に操作部電源スイッチ３１を配置するとともに、操作パネル２２下の連結ハウジング１００ｂの前面にメインスイッチ３０を配置することで、コピー機能のオンオフを行う操作部電源スイッチ３１と、プリンター機能、ファクシミリ機能のオンオフを行うメインスイッチ３０の両方が一目で視認でき、各スイッチの機能も理解し易くなる。
【００３４】
また、メインスイッチ３０、操作部電源スイッチ３１の位置が近いため、ユーザーの操作性も向上する。なお、図４に示すように、操作パネル２２の先端部２２ａは連結ハウジング１００ｂの前面と略面一となっているため、操作パネル２２の直下にメインスイッチ３０を配置してもメインスイッチ３０の操作時に操作パネル２２が邪魔になるおそれはない。
【００３５】
さらに、メインスイッチ３０の押圧部（キートップ）を連結ハウジング１００ｂの外装色と同一色にし、形状だけでスイッチと判別できるようにすれば、メインスイッチ３０が過度に目立つことがなく、デザイン性も向上する。
【００３６】
その他本発明は、上記実施形態に限定されず、本発明の趣旨を逸脱しない範囲で種々の変更が可能である。例えば、上記実施形態では、操作パネル２２内に配置される操作部電源スイッチ３１はコピー機能をオンまたはオフするスイッチであるが、コピー機能に代えてプリンター機能をオンまたはオフするスイッチであっても良いし、コピー機能とプリンター機能の両方をオンオフするスイッチであっても良い。即ち、操作部電源スイッチ３１は、上記実施形態に示したコピー機能、プリンター機能、ファクシミリ機能や、スキャナー機能等の各種機能のうち一部の機能をオンまたはオフするものであれば良い。
【００３７】
また、上記実施形態では、画像読取部２１と本体ハウジング１００ａとが連結ハウジング１００ｂで連結され、連結ハウジング１００ｂの側方に胴内排出空間２５を備えた胴内排出型の複合機について説明したが、画像読取部２１を備えず、本体ハウジング１００ａの上面に用紙１８を排出するモノクロプリンターにおいても、本体ハウジング１００ａの前面において操作パネル２２の直下にメインスイッチ３０を配置し、操作パネル２２内に操作部電源スイッチ３１を配置することで同様の効果が得られる。
【００３８】
また、本発明は図１に示したようなモノクロ複合機に限らず、カラー複合機、インクジェット方式の画像形成部を備えたカラー複合機等の、複数の機能が一つの装置に複合された他の画像形成装置にも適用可能である。
【産業上の利用可能性】
【００３９】
本発明は、複写機能、プリンター機能、ファクシミリ機能等の機能のうち、少なくとも二つの機能を有する画像形成装置に利用可能である。本発明の利用により、メインスイッチの視認性、操作性を向上させるとともに装置内部の配線も簡素化できる画像形成装置となる。
【符号の説明】
【００４０】
２１              画像読取部
２２              操作パネル（操作部）
２５              胴内排出空間
３０              メインスイッチ
３１              操作部電源スイッチ（サブスイッチ）
１００            画像形成装置
１００ａ          本体ハウジング
１００ｂ          連結ハウジング
Ｐ                画像形成部
【図１】
2014191268.tif 000003
【図３】
2014191268.tif 000004
【図４】
2014191268.tif 000005
【図２】
2014191268.tif 000006